(57)【要約】      （修正有）【課題】ケーブル類をケーブル類収容空間内へ簡便かつ確実に収容配置できるとともに、ケーブル類の様々な収容形態に適応してケーブル類の安定した保護案内機能を十分に発揮できるようにしたケーブル類保護案内装置を提供すること。【解決手段】ケーブル類Ｃを収容配置して案内保護するケーブル類収容空間Ｒを屈曲内周側と屈曲外周側とに仕分ける仕切り棚板部材１２０と左右に仕分ける一対の仕切り壁板部材１３０とを着脱自在に備え、仕切り棚板部材１２０が一対の仕切り壁板部材１３０、１３０とそれぞれ係合する左右一対の係合アダプタ部１２１、１２１を備えているとともに、仕切り壁板部材１３０が前記仕切り棚板部材１２０の係合アダプタ部１２１と所定の棚掛け仕切り位置で係合するスリット対向面１３１ａ、１３１ａに刻設された一対の位置決め用ラチェット歯１３１、１３１を備えているケーブル類保護案内装置１００。【選択図】図１
2006275155.tif 000002
【特許請求の範囲】
【請求項１】
左右一対のリンクプレートに屈曲内周側連結板及び屈曲外周側連結板をそれぞれ横架した矩形状枠断面のリンク枠体が、前記リンクプレートに設けた連結ピンと連結ピン孔とで相互に屈曲自在に多数連結されてケーブル類を収容配置して案内保護するケーブル類収容空間を形成するとともに、前記ケーブル類収容空間内のケーブル類を屈曲内周側と屈曲外周側とに仕分ける仕切り棚板部材と左右に仕分ける仕切り壁板部材とを着脱自在に備えてなるケーブル類保護案内装置において、
前記仕切り棚板部材が、前記左右一対の仕切り壁板部材とそれぞれ係合する左右一対の係合アダプタ部を備えているとともに、
前記仕切り壁板部材が、前記仕切り棚板部材の係合アダプタ部と所定の棚掛け仕切り位置で係合するスリット対向面に刻設された一対の位置決め用ラチェット歯を備えていることを特徴とするケーブル類保護案内装置。
【請求項２】
前記一対の位置決め用ラチェット歯が、前記仕切り棚板部材を屈曲内周側連結板、もしくは、屈曲外周側連結板に対して平行配置させた状態で挟持するように対峙して形成されていることを特徴とする請求項１記載のケーブル類保護案内装置。
【請求項３】
前記仕切り壁板部材が、スリット対向面の屈曲外周側、もしくは、屈曲内周側で切り開かれた棚板着脱部を備えていることを特徴とする請求項１または請求項２記載のケーブル類保護案内装置。
【請求項４】
前記仕切り壁板部材の棚板着脱部が、前記屈曲外周側連結板、もしくは、屈曲内周側連結板と係合自在に形成されていることを特徴とする請求項３記載のケーブル類保護案内装置。
【請求項５】
前記仕切り棚板部材が、前記左右一対の係合アダプタ部に着脱自在に合体されて前記一対の仕切り壁板部材による左右の仕切り区画領域を変更自在にする棚板本体部を備えていることを特徴とする請求項１乃至請求項４のいずれか１つに記載のケーブル類保護案内装置。
【発明の詳細な説明】
【技術分野】
【０００１】
本発明は、ケーブル類保護案内装置に係り、更に詳しくは、産業用機械の可動部材に電力や圧縮空気のエネルギーを供給するケーブルやホース等のケーブル類を収容すると共に、可動部の移動中においてもケーブル類を安全にかつ確実に案内保護するのに好適なケーブル類保護案内装置に関するものである。
【背景技術】
【０００２】
従来、ケーブル収容空間内でケーブル類を多段に仕分けるケーブル類保護案内装置が知られている。
このような従来のケーブル類保護案内装置５００は、図７乃至図８に示すように、ケーブル類Ｃの両側に離間配置される一対のリンクプレート５１１、５１１とこれらのリンクプレート５１１、５１１の屈曲内周側と屈曲外周側とにそれぞれ横架される屈曲内周側連結板５１２、屈曲外周側連結板５１３と前記リンクプレート５１１、５１１に対面して屈曲内周側連結板５１２と屈曲外周側連結板５１３とにそれぞれ支持される縦仕切板５３０とこの縦仕切板５３０の係合孔５３１を貫通して組み込まれる横仕切板５２０とで構成したリンク体が長手方向に屈曲自在に多数連結されている。
そして、前記縦仕切板５３０に組み込まれた横仕切板５２０が、ケーブル類収容空間Ｒを屈曲外周側と屈曲内周側に仕切ることにより２つの仕切り区画を形成し、これらの仕切り区画内にケーブル類Ｃを収容配置するように構成されている。（例えば、特許文献１参照）。
【特許文献１】特開２００４−３２４８５１号公報
【発明の開示】
【発明が解決しようとする課題】
【０００３】
ところが、従来のケーブル類保護案内装置５００は、縦仕切板５３０に設けられた係合孔５３１の開口位置によって、横仕切板５２０が縦仕切板５３０に設けられた係合孔５３１の配置間隔を基準にケーブル類収容空間Ｒを仕切っているため、ケーブル類収容空間Ｒ内におけるケーブル径の大小、仕分け本数などに即したケーブル類Ｃの様々な収容形態に適応できず、ケーブル類Ｃが仕切り区画内で窮屈な収容状態、もしくは、バタツキ易い収容状態を呈して、安定した保護案内機能を十分に発揮することができないという収容形態上の問題があった。
【０００４】
そして、前記横仕切板５２０を縦仕切板５３０の係合孔５３１に貫通して組み込むように構成されているため、屈曲内周側連結板５１２に縦仕切板５３０を組み付けた後に横仕切板５２０を組み込む場合は、横仕切板５２０を貫通させるための十分なスペースを一対のリンクプレート５１１、５１１の相互間に確保することができず、予め、横仕切板５２０を縦仕切板５３０に貫通して一体に組み付けた状態で屈曲内周側連結板５１２に装着しなければならない、すなわち、横仕切板５２０を後付けできないという組み付け手順上の問題があった。
【０００５】
さらに、横仕切板５２０を縦仕切板５３０に一体に組み付けた状態で屈曲内周側連結板５１２に装着されているため、屈曲内周側の仕切り区画内にはケーブル類Ｃを挿通しなければ収容配置することができず、特に、ケーブル類Ｃの端部にコネクターが接続されている場合には屈曲内周側の仕切り区画内に挿通できない事態も起こり得るというケーブル取り扱い上の厄介な問題があった。
【０００６】
そこで、本発明は、上述したような課題を解決するものであって、すなわち、本発明の目的は、ケーブル類をケーブル類収容空間内へ簡便かつ確実に収容配置できるとともに、ケーブル類の様々な収容形態に適応してケーブル類の安定した保護案内機能を十分に発揮できるようにしたケーブル類保護案内装置を提供することにある。
【課題を解決するための手段】
【０００７】
本請求項１に係る発明は、左右一対のリンクプレートに屈曲内周側連結板及び屈曲外周側連結板をそれぞれ横架した矩形状枠断面のリンク枠体が、前記リンクプレートに設けた連結ピンと連結ピン孔とで相互に屈曲自在に多数連結されてケーブル類を収容配置して案内保護するケーブル類収容空間を形成するとともに、前記ケーブル類収容空間内のケーブル類を屈曲内周側と屈曲外周側とに仕分ける仕切り棚板部材と左右に仕分ける仕切り壁板部材とを着脱自在に備えてなるケーブル類保護案内装置において、前記仕切り棚板部材が、前記左右一対の仕切り壁板部材とそれぞれ係合する左右一対の係合アダプタ部を備えているとともに、前記仕切り壁板部材が、前記仕切り棚板部材の係合アダプタ部と所定の棚掛け仕切り位置で係合するスリット対向面に刻設された一対の位置決め用ラチェット歯を備えていることによって、上記目的を達成するものである。
【０００８】
そして、本請求項２に係る発明は、本請求項１記載の発明の構成に加えて、前記一対の位置決め用ラチェット歯が、前記仕切り棚板部材を屈曲内周側連結板、もしくは、屈曲外周側連結板に対して平行配置させた状態で挟持するように対峙して形成されていることによって、上記目的を達成するものである。
【０００９】
また、本請求項３に係る発明は、本請求項１または請求項２記載の発明の構成に加えて、前記仕切り壁板部材が、スリット対向面の屈曲外周側、もしくは、屈曲内周側で切り開かれた棚板着脱部を備えていることによって、上記目的を達成するものである。
【００１０】
さらに、本請求項４に係る発明は、本請求項３記載の発明の構成に加えて、前記仕切り壁板部材の棚板着脱部が、前記屈曲外周側連結板、もしくは、屈曲内周側連結板と係合自在に形成されていることによって、上記目的を達成するものである。
【００１１】
また、本請求項５に係る発明は、本請求項１乃至請求項４のいずれか１つに記載の発明の構成に加えて、前記仕切り棚板部材が、前記左右一対の係合アダプタ部に着脱自在に合体されて前記一対の仕切り壁板部材による左右の仕切り区画領域を変更自在にする棚板本体部を備えていることによって、上記目的を達成するものである。
【発明の効果】
【００１２】
本発明のケーブル類保護案内装置は、左右一対のリンクプレートに屈曲内周側連結板及び屈曲外周側連結板をそれぞれ横架した矩形状枠断面のリンク枠体が、リンクプレートに設けた連結ピンと連結ピン孔とで相互に屈曲自在に多数連結されているとともに、ケーブル類収容空間内のケーブル類を屈曲内周側と屈曲外周側とに仕分ける仕切り棚板部材と左右に仕分ける仕切り壁板部材とを着脱自在に備えていることにより、ケーブル類収容空間内でケーブル類を収容配置して屈曲自在に案内保護することができるとともに、以下のような特有の効果を奏することができる。
【００１３】
すなわち、本請求項１に係る発明によれば、仕切り棚板部材が左右一対の仕切り壁板部材とそれぞれ係合する左右一対の係合アダプタ部を備えているとともに、仕切り壁板部材が仕切り棚板部材の係合アダプタ部と所定の棚掛け仕切り位置で係合するスリット対向面に刻設された一対の位置決め用ラチェット歯を備えていることにより、仕切り棚板部材の係合アダプタ部がスリット対向面内における任意の棚掛け仕切り位置で一対の位置決め用ラチェット歯により確実に挟持されるため、仕切り棚板部材の棚掛け仕切り位置を細分化して位置決め設定でき、ケーブル類収容空間内におけるケーブル径の大小、仕分け本数などに即したケーブル類の様々な収容形態に適応した棚掛け間隔が設定可能となり、それぞれの仕切り区画内のケーブル類に対して安定した保護案内機能を十分に発揮することができる。
【００１４】
また、本請求項２に係る発明によれば、本請求項１の発明が奏する効果に加えて、一対の位置決め用ラチェット歯が仕切り棚板部材を屈曲内周側連結板、もしくは、屈曲外周側連結板に対して平行配置させた状態で挟持するように対峙して形成されていることにより、仕切り棚板部材を装着する際に、仕切り棚板部材を板長手方向の中心軸回りに傾動させた状態でスリット対向面内に挿入し、所定の棚掛け仕切り位置において屈曲内周側連結板と平行な状態になるように仕切り棚板部材を板長手方向の中心軸回りに回動させて一対の位置決め用ラチェット歯の相互間で確実に挟持するため、仕切り棚板部材を装着するための特段の工具を用いることなく、任意の棚掛け仕切り位置に簡便に位置決め設定することができる。
【００１５】
そして、本請求項３に係る発明によれば、本請求項１または請求項２記載の発明が奏する効果に加えて、仕切り壁板部材がスリット対向面の屈曲外周側、もしくは、屈曲内周側で切り開かれた棚板着脱部を備えていることにより、屈曲内周側連結板、もしくは、屈曲外周側連結板に装着した後の仕切り壁板部材に仕切り棚板部材を装着する、所謂、仕切り棚板部材の後付けが可能となるため、屈曲内周側連結板側、もしくは、屈曲外周側連結板側にケーブル類を収容配置してから仕切り棚板部材を装着できるとともに、ケーブル類の取り出し、再収容配置などを伴うメンテナンス作業の操作性も豊富化し、客先対応での組み付け手順などの作業手順を著しく向上させることができる。
【００１６】
そして、本請求項４に係る発明によれば、本請求項３記載の発明が奏する効果に加えて、仕切り壁板部材の棚板着脱部が屈曲外周側連結板、もしくは、屈曲内周側連結板と係合自在に形成されていることにより、仕切り壁板部材がスリット対向面に起因して多少変形しても屈曲外周側連結板、もしくは、屈曲内周側連結板から外れる恐れもなく、また、仕切り棚板部材が仕切り壁板部材から外れることもなく、ケーブル類収容空間内にケーブル類を確実に収容配置することができる。
【００１７】
加えて、本請求項５に係る発明によれば、本請求項１乃至請求項４のいずれか１つに記載の発明が奏する効果に加えて、仕切り棚板部材が、左右一対の係合アダプタ部に着脱自在に合体されて一対の仕切り壁板部材による左右の仕切り区画領域を変更自在にする棚板本体部を備えていることにより、仕切り棚板部材が仕切り壁板部材を挟み込んた状態で確実に固定されるので、仕切り棚板部材と仕切り壁板部材との外れを完全に阻止でき、しかも、仕切り棚板部材の長さを自由かつ簡便に調節できるので、ケーブル類収容空間内の収容配置形態を多様化することができる。
【発明を実施するための最良の形態】
【００１８】
本発明のケーブル類保護案内装置は、仕切り棚板部材が左右一対の仕切り壁板部材とそれぞれ係合する左右一対の係合アダプタ部を備えているとともに、仕切り壁板部材が仕切り棚板部材の係合アダプタ部と所定の棚掛け仕切り位置で係合するスリット対向面に刻設された一対の位置決め用ラチェット歯を備えていることにより、ケーブル類をケーブル類収容空間内へ簡便かつ確実に収容配置するとともに、ケーブル類の様々な収容形態に適応してケーブル類の安定した保護案内機能を十分に発揮するものであれば、その具体的な実施態様は如何なるものであっても構わない。
【００１９】
たとえば、本発明のケーブル類保護案内装置で採用するリンク枠体は、左右一対のリンクプレートに屈曲内周側連結板と屈曲外周側連結板とがそれぞれ横架されて矩形状枠断面を呈していれば良く、その具体的態様は、仕切り壁板部材と仕切り棚板部材とを装着できるようにするために、屈曲内周側連結板と屈曲外周側連結板の両方もしくは屈曲外周側連結板のみが開閉アーム状に左右一対のリンクプレートに対して係合自在に構成されていれば良く、また、一体成形、別体成形のいずれの成形加工で形成しても構わない。
【００２０】
また、本発明のケーブル類保護案内装置で採用する仕切り壁板部材の棚板着脱部は、屈曲内周側連結板、もしくは、屈曲外周側連結板に装着した後の仕切り壁板部材に仕切り棚板部材を装着する、所謂、仕切り棚板部材の後付けが可能となるものであれば、スリット対向面の屈曲外周側、もしくは、屈曲内周側の何れで切り開かれて構成されても良い。
【００２１】
さらに、本発明のケーブル類保護案内装置で採用するリンク枠体、仕切り壁板部材、仕切り棚板部材の素材は、ケーブル類をケーブル類収容空間内で収容して安定した保護案内機能を発揮するものであれば、如何なるエンジニアリングプラスチック樹脂で成形されていても良く、例えば、成形加工が容易なポリアミド６樹脂、ポリアミド１２樹脂、ポリアミド４６樹脂、ポリアミド６６樹脂、アクリル樹脂、ポリアセタール樹脂などを採用したり、ガラス繊維強化ポリアミド系樹脂などの高強度材を含有した強化樹脂を採用したりすることができる。
【実施例】
【００２２】
以下、本発明の実施の形態について添付図面を参照して説明する。
まず、図１は、本発明の一実施例であるケーブル類保護案内装置の斜視図であり、図２は、図１のリンク枠体と仕切り棚板部材と仕切り壁板部材との組み立て分解図であり、図３は、図２の仕切り壁板部材を拡大した斜視図であり、図４は、図２の仕切り棚板部材の組み立て分解図であり、図５は、仕切り壁板部材に対する仕切り棚板部材の装着動作状態を示す説明図であり、図６は、仕切り壁板部材に対する仕切り棚板部材の装着完了状態を示す説明図である。
【００２３】
そこで、図１に示すような本発明の一実施例であるケーブル類保護案内装置１００は、例えば、半導体用のチップマウンターや、工作機械や、車両等の可動部と静止部とを接続する電気信号の伝達や電力の供給を行う電気ケーブルや油圧や空圧を供給するホースのようなケーブル類Ｃを保護案内するために使用されるもので、矩形状のリンク枠体１１０が長尺状に多数連結され、可動部と静止部（図示しない）との間の移動状況に応じて直線状態、あるいは、屈曲状態を呈することができ、これらのリンク枠体１１０が連続して形成されたケーブル類収容空間Ｒ内にケーブル類Ｃを挿通した状態で保護案内できるようになっている。
【００２４】
前述したリンク枠体１１０は、優れた強度特性を発揮できるガラス繊維強化ポリアミド系樹脂によって成形され、離間配置された左右一対のリンクプレート１１１、１１１と、これらのリンクプレート１１１、１１１の屈曲内周側に横架された屈曲内周側連結板１１２と屈曲外周側に横架された屈曲外周側連結板１１３とが矩形状に一体化されている。
すなわち、屈曲内周側連結板１１２は、左右一対のリンクプレート１１１、１１１と射出成形加工によって一体化されているが、屈曲外周側連結板１１３は、一端が片方のリンクプレート１１１に回動可能に連結されてアーム状を呈しており、他端がもう片方のリンクプレート１１１に係合可能に開閉できるようになっている。
【００２５】
そして、リンクプレート１１１のプレート前方とプレート後方とは、プレート厚み方向に段差を形成した、所謂、オフセット構造を呈しており、さらに、リンクプレート１１１のプレート後方には、連結ピン１１４が設けられているとともに、プレート前方には、連結ピン１１４と略同一径の連結ピン孔１１５が設けられている。
したがって、リンク枠体１１０同士は、相互に連続して配置されるリンクプレート１１１、１１１の連結ピン１１４と連結ピン孔１１５とを嵌め込むことで連結され、連結ピン１１４を中心に屈曲することができるようになっている。
【００２６】
さらに、本実施例では、図２に示すように、一対のリンクプレート１１１ごとにケーブル類収容空間Ｒ内のケーブル類Ｃを屈曲内周側と屈曲外周側とに仕分ける仕切り棚板部材１２０と、左右に仕分ける一対の仕切り壁板部材１３０とを着脱自在に装着している。具体的には、屈曲内周側連結板１１２と屈曲外周側連結板１１３との間に着脱自在に一対の仕切り壁板部材１３０、１３０が装着され、さらに、これらの仕切り壁板部材１３０、１３０に対して仕切り棚板部材１２０が水平状態で装着されるようになっている。なお、仕切り壁板部材１３０は、左右一対のリンクプレート１１１、１１１の配列方向（以下、単に、「左右配列方向」という。）で所望の位置に装着自在となっている。
【００２７】
ここで、本実施例のケーブル類保護案内装置１００が最も特徴としている仕切り棚板部材１２０と仕切り壁板部材１３０の部品構造とこれらの装着構造について図２乃至図６に基づき説明する。
まず、本実施例のケーブル類保護案内装置１００に用いた仕切り壁板部材１３０は、図２乃至図３に示すように、一対の位置決め用ラチェット歯１３１、１３１が仕切り棚板部材１２０を少なくとも屈曲内周側連結板１１２に対して平行配置させた状態で挟持するように対峙して形成されている。
【００２８】
そして、この仕切り壁板部材１３０は、スリット対向面１３１ａ、１３１ａの屈曲外周側で切り開かれた棚板着脱部１３２を備えて、屈曲内周側連結板１１２に装着した後の仕切り壁板部材１３０に仕切り棚板部材１２０を装着する、所謂、仕切り棚板部材１２０の後付けを可能として、屈曲内周側連結板１１２側にケーブル類Ｃを収容配置してから仕切り棚板部材１２０を装着したり、ケーブル類Ｃの取り出しや再収容配置などを伴うメンテナンス作業の操作性も豊富化し、客先対応での組み付け手順などの作業手順を著しく向上させるようになっている。
【００２９】
さらに、この棚板着脱部１３２には屈曲外周側連結板１１３の係合用溝１１３ａと係合する前後一対の係合用突起１３２ａが形成され、仕切り壁板部材１３０がスリット対向面１３１ａ、１３１ａに起因して多少変形しても屈曲外周側連結板１１３から外れたり、仕切り棚板部材１２０が仕切り壁板部材１３０から外れたりすることもなく、ケーブル類収容空間Ｒ内にケーブル類Ｃを確実に収容配置するようになっている。
なお、図２乃至図３における符号１３３は、仕切り壁板部材１３０を屈曲内周側連結板１１２及び屈曲外周側連結板１１３に対して掴持状態で装着するための係止用爪である。
【００３０】
他方、本実施例のケーブル類保護案内装置１００に用いた仕切り棚板部材１２０は、図２乃至図４に示すように、左右一対の仕切り壁板部材１３０、１３０とそれぞれ係合する左右一対の係合アダプタ部１２１、１２１と、これらの係合アダプタ部１２１、１２１と着脱自在に合体する棚板本体部１２２とを備え、さらに、前記係合アダプタ部１２１は、仕切り壁板部材１３０の表裏を挟み込んだ状態で係合するための一対の係合フランジ１２１ａ、１２１ａを備えており、仕切り棚板部材１２０の係合アダプタ部１２１、１２１が仕切り壁板部材１３０と確実に係合して外れを完全に阻止するようになっている。
そして、前記棚板本体部１２２は、一対の仕切り壁板部材１３０、１３０の配置間隔によって定まる左右の仕切り区画領域に対応するように交換することにより、仕切り棚板部材１２０の長さを自由かつ簡便に調節でき、ケーブル類収容空間Ｒ内の収容配置形態を多様化することができるようになっている。
【００３１】
更に、本実施例における仕切り棚板部材１２０の棚板本体部１２２は、アルミの押し出し加工品なので任意の長さに切断でき、長さを容易に調整できるので、一対の仕切り壁板部材１３０、１３０の配置間隔によって定まる左右の仕切り区画領域の幅ごとに対応する仕切り棚板部材１２０の射出成型金型を沢山作らなくても良く、大幅なコストダウンが可能となる。また、棚板本体部１２２は、アルミの押し出し品でなく樹脂の押し出し品でも代用可能である。
なお、本実施例の係合アダプタ部１２１は、樹脂成型品からなっているが、これ以外の金属成型品などであっても良い。
【００３２】
そこで、これらの仕切り棚板部材１２０と仕切り壁板部材１３０との装着手順について図５および図６に基づき説明する。
仕切り棚板部材１２０を仕切り壁板部材１３０に装着する場合は、図５に示すように、仕切り棚板部材１２０を板長手方向の中心軸回りに傾動させた状態で一対の位置決め用ラチェット歯１３１、１３１との接触を可能な限り回避しながらスリット対向面１３１ａ、１３１ａ内における所定の棚掛け仕切り位置に挿入し、この棚掛け仕切り位置において仕切り棚板部材１２０を実線で示す傾斜姿勢から点線で示す屈曲内周側連結板１１２と平行な状態となる水平姿勢へ板長手方向の中心軸回りに回動させながら一対の位置決め用ラチェット歯１３１、１３１を押し広げて屈曲内周側連結板１１２と平行な状態にする。
【００３３】
そして、図６から明らかなように、上述した棚掛け仕切り位置で仕切り棚板部材１２０は、点線で示す傾斜姿勢から実線で示す屈曲内周側連結板１１２と平行な状態となる水平姿勢へ板長手方向の中心軸回りに回動することにより、一対の位置決め用ラチェット歯１３１、１３１の相互間で確実に挟持されて、仕切り壁板部材１３０に対する仕切り棚板部材１２０の装着完了状態となることができる。
【００３４】
なお、仕切り棚板部材１２０を仕切り壁板部材１３０の所定の棚掛け仕切り位置から取り外す場合は、図示するまでもなく、上述した装着手順の逆手順となることは言うまでもない。
【００３５】
このようにして得られた本実施例のケーブル類保護案内装置１００は、仕切り棚板部材１２０が左右一対の仕切り壁板部材１３０、１３０とそれぞれ係合する左右一対の係合アダプタ部１２１、１２１を備えているとともに、仕切り壁板部材１３０が仕切り棚板部材１２０の係合アダプタ部１２１と所定の棚掛け仕切り位置で係合するスリット対向面１３１ａ、１３１ａに刻設された一対の位置決め用ラチェット歯１３１、１３１を備えていることにより、ケーブル類Ｃをケーブル類収容空間Ｒ内へ簡便かつ確実に収容配置することができるとともに、ケーブル類Ｃの様々な収容形態に適応してケーブル類Ｃの安定した保護案内機能を十分に発揮することができる。
【００３６】
また、一対の位置決め用ラチェット歯１３１、１３１が仕切り棚板部材１２０を屈曲内周側連結板１１２に対して平行配置させた状態で挟持するように対峙して形成されていることにより、仕切り棚板部材１２０を装着する際に、仕切り棚板部材１２０を板長手方向の中心軸回りに傾動させた状態でスリット対向面１３１ａ、１３１ａ内に挿入し、所定の棚掛け仕切り位置において屈曲内周側連結板１１２と平行な状態になるように仕切り棚板部材１２０を板長手方向の中心軸回りに回動させて一対の位置決め用ラチェット歯１３１、１３１の相互間で確実に挟持するため、仕切り棚板部材１２０を装着するための特段の工具を用いることなく、任意の棚掛け仕切り位置に簡便に位置決め設定することができる。
【００３７】
そして、仕切り壁板部材１３０がスリット対向面１３１ａ、１３１ａの屈曲外周側で切り開かれた棚板着脱部１３２を備えていることにより、屈曲内周側連結板１１２側にケーブル類Ｃを収容配置してから仕切り棚板部材１２０を装着できるとともに、ケーブル類Ｃの取り出し、再収容配置などを伴うメンテナンス作業の操作性も豊富化し、客先対応での組み付け手順などの作業手順を著しく向上させることができるなど、その効果は甚大である。
【図面の簡単な説明】
【００３８】
【図１】本発明の一実施例であるケーブル類保護案内装置の斜視図。
【図２】図１のリンク枠体と仕切り棚板部材と仕切り壁板部材との組み立て分解図。
【図３】図２の仕切り壁板部材を拡大した斜視図。
【図４】図２の仕切り棚板部材の組み立て分解図。
【図５】仕切り壁板部材に対する仕切り棚板部材の装着動作状態を示す説明図。
【図６】仕切り壁板部材に対する仕切り棚板部材の装着完了状態を示す説明図。
【図７】従来のケーブル類保護案内装置を示す斜視図。
【図８】図７のリンク枠体と仕切り棚板部材と仕切り壁板部材との組み立て分解図。
【符号の説明】
【００３９】
１００  ・・・ケーブル類保護案内装置
１１０  ・・・リンク枠体
１１１  ・・・リンクプレート
１１２  ・・・屈曲内周側連結板
１１３  ・・・屈曲外周側連結板
１１３ａ・・・係合用溝
１１４  ・・・連結ピン
１１５  ・・・連結ピン孔
１２０  ・・・仕切り棚板部材
１２１  ・・・係合アダプタ部
１２１ａ・・・係合フランジ
１２２  ・・・棚板本体部
１３０  ・・・仕切り壁板部材
１３１  ・・・位置決め用ラチェット歯
１３１ａ・・・スリット対向面
１３２  ・・・棚板着脱部
１３２ａ・・・係合用突起
１３３  ・・・係止用爪
５００  ・・・ケーブル類保護案内装置
５１０  ・・・リンク枠体
５１１  ・・・リンクプレート
５１２  ・・・屈曲内周側連結板
５１３  ・・・屈曲外周側連結板
５１４  ・・・連結ピン
５１５  ・・・連結ピン孔
５２０  ・・・横仕切板
５３０  ・・・縦仕切板
５３１  ・・・係合孔
Ｃ      ・・・ケーブル類
Ｒ      ・・・ケーブル収容空間
【図１】
2006275155.tif 000003
【図２】
2006275155.tif 000004
【図３】
2006275155.tif 000005
【図４】
2006275155.tif 000006
【図５】
2006275155.tif 000007
【図６】
2006275155.tif 000008
【図７】
2006275155.tif 000009
【図８】
2006275155.tif 000010